(57)【要約】【課題】設定作業が簡単で、作業の時間の短縮が図れるネットワークシステムを得ることを課題ととする。【解決手段】複数の無停電電源装置を備えたネットワークスステムにおける無停電電源装置をそれぞれ通信手段を介してネットワークに接続し、各無停電電源装置に予め優先順位を設定し、優先順位の最も高い無停電電源装置（マスタ電源装置）がネットワークを介して外部から無停電電源装置の制御情報等を優先的に取得し、このマスタ電源装置からこれが取得した情報を優先順位の低い無停電電源装置（スレーブ電源装置）へ配信する。【選択図】図１
2006318394.tif 000002
【特許請求の範囲】
【請求項１】
ネットワークに接続された複数のサーバと各サーバに電力を供給する複数台の無停電電源装置とを備えたネットワークシステムにおいて、前記無停電電源装置にそれぞれ前記ネットワークとの通信を行うための通信手段を設けるとともに各無停電電源装置に予め優先順位を設定し、優先順位の最も高い無停電電源装置をマスタ電源装置とし、これより優先順位の低い無停電電源装置をスレーブ電源装置として、マスタ電源装置がネットワークを介して外部から無停電電源装置の制御情報を優先的に取得して自己に取り込むと共に、このマスタ電源装置が取得した制御情報をスレーブ電源装置へ配信し前記スレーブ電源装置に取り込むことを特徴とするネットワークシステムの無停電電源装置の管理方法。
【請求項２】
請求項１に記載の方法において、前記マスタ電源装置が、ネットワークを介して定期的に無停電電源装置のファームウエア情報を提供するサイトから更新情報を取得して自身のファームウエアを更新するとともに、ネットワークを介してスレーブ電源装置へ更新情報を配信してスレーブ電源装置のファームウエアを更新することを特徴とするネットワークシステムの無停電電源装置の管理方法。
【請求項３】
請求項１または２に記載の方法において、マスタ電源装置がネットワークを介して設定情報の更新情報を取得し、自身の設定情報を更新すると共に、この取得した更新情報に全無停電電源装置に共通の設定情報が含まれている場合は、ネットワークを介してこれをスレーブ電源装置へ配信し、スレーブ電源装置の設定情報の更新を行うことを特徴とするネットワークシステムの無停電電源装置の管理方法。
【発明の詳細な説明】
【技術分野】
【０００１】
この発明は、共通のネットワークに接続された複数のサーバにそれぞれ電力を供給するために複数台の無停電電源装置を備えたネットワークシステムにおける無停電電源装置の管理方法に関する。
【背景技術】
【０００２】
共通のネットワーク回線に複数のサーバを接続して構成されるネットワークシステムにおいては、一般に、サーバの電源が停電したとき、サーバに異常が発生しないようにするため、少なくともサーバが停電発生から正常にシャットダウン処理（停電処理）を完了するまでの間、サーバへの電力の供給を継続することのできる無停電電源装置（以下ＵＰＳという）が設置される。
【０００３】
また、このようなＵＰＳを備えたネットワークシステムにおいては、従来から、図３に示すように、ＵＰＳ２０がネットワークとの通信を行うためにネットワークカード２０ａを通信手段として内蔵し、このネットワークカード２０ａを複数のサーバ５〜７の接続された、ネットワークハブ１０ａを備えたネットワーク回線１０に接続することにより、ネットワーク回線１０を通じて全サーバ５〜７とＵＰＳ２０との間で情報のやり取りができるように構成されている（特許文献１参照）。
【０００４】
このようなネットワークシステムにおいては、ＵＰＳ２０から、サーバ５〜７およびネットワークハブ１０ａに個々に電力が供給される。そしてＵＰＳ２０がネットワークカード２０ａを介して、サーバ５〜７の接続された共通のネットワーク回線１０に接続される。これにより、ＵＰＳ２０は、回線１０を通してサーバ５〜７のすべてと情報のやり取りが可能となるので、その中の１台のサーバ、例えばサーバ５に異常が生じこれが運転を停止していても、ＵＰＳ２０が電源の停電を検出したような場合、この停電の情報は正常に動作しているサーバ６，７へはネットワーク回線１０を通して正しく伝達されるため、サーバ６、７は受信した停電情報に従って正常に停電処理を行うことができ、停電処理の信頼性が高まる。
【０００５】
また、ネットワークを構成するサーバの台数が増やされ、ネットワークの規模が大きくなった場合、1台のＵＰＳでは必要電力を負担しきれないので、図４に示すように、ＵＰＳ２１を増設し、このＵＰＳ２１から増やされたサーバ６、７に給電することが行われる。このＵＰＳ２１にもネットワークカード２１ａが設けられ、このカードを介してＵＰＳ２１がネットワーク回線１０に接続される。これによりＵＰＳ２１は、ネットワーク回線１０を通して全部のサーバと情報のやり取りをする。
【特許文献１】特開平２００４−１７１５１１号公報
【発明の開示】
【発明が解決しようとする課題】
【０００６】
このようなネットワークシステムにおいて、これまでは、ＵＰＳの運転に必要とする各種の設定データの設定およびＵＰＳの動作を制御するファームウエアプログラムや、設定データの更新のＵＰＳの管理作業は、管理者が手作業で管理用端末１から１台ずつＵＰＳを選択して行っているため、設定作業が面倒であると共にＵＰＳの設置台数が多くなると多大の作業時間を要するという問題がある。
【０００７】
この発明は、このような問題点を解消するため、設定作業が簡単で、作業時間の短縮が図れるネットワークシステムにおける無停電電源装置の管理方法を得ることを課題とするものである。
【課題を解決するための手段】
【０００８】
前記の課題を解決するため、第１の発明は、ネットワークに接続された複数のサーバと各サーバに電力を供給する複数台の無停電電源装置とを備えたネットワークシステムにおいて、前記無停電電源装置にそれぞれ前記ネットワークとの通信を行うための通信手段を設けるとともに各無停電電源装置に予め優先順位を設定し、優先順位の最も高い無停電電源装置をマスタ電源装置とし、これより優先順位の低い無停電電源装置をスレーブ電源装置として、マスタ電源装置がネットワークを介して外部から無停電電源装置の制御情報を優先的に取得して自己に取り込むと共に、このマスタ電源装置が取得した制御情報をスレーブ電源装置へ配信し前記スレーブ電源装置に取り込むことを特徴とするものである。
【０００９】
第２の発明は、第１の発明において、前記マスタ電源装置が、ネットワークを介して定期的に無停電電源装置のファームウエアの更新情報を提供するサイトから更新情報を取得して自身のファームウエアを更新するとともに、ネットワークを介してスレーブ電源装置へ更新情報を配信してスレーブ電源装置のファームウエアを更新することを特徴とするものである。
【００１０】
第３の発明は、第１の発明または第２の発明において、マスタ電源装置がネットワークを介して設定情報の更新情報を取得し、自己の設定情報を更新すると共に、この取得した更新情報に全無停電電源装置に共通の設定情報を、ネットワークを介してこれをスレーブ電源装置へ配信し、スレーブ電源装置の設定情報の更新を行うことを特徴とするものである。
【発明の効果】
【００１１】
この発明によれば、ネットワークシステムにおける複数のＵＰＳにそれぞれ優先順位を設定し、優先順位の最も高いＵＰＳ（マスタＵＰＳ）が優先的にネットワークから管理データを取得し、この管理データを取得したＵＰＳから、これより優先順位のひくいＵＰＳ（スレーブＵＰＳ）へ順次自動配信するようにしているので、管理者の作業は、マスタＵＰＳ１台に対して設定作業を行えばよいので、設定作業が簡単となると共に作業時間を短縮することができる。
【発明を実施するための最良の形態】
【００１２】
この発明の実施の形態を図に示す実施例に基づいて説明する。
【実施例１】
【００１３】
図１は、この発明の実施例１のネットワーク構成図である。この図において従来装置と同一の構成要素は、同一符号を付して示す。
【００１４】
サーバ５〜９、管理端末１の接続された共通のネットワーク回線１０に、ＵＰＳ２０および２１がそれぞれ通信手段としてのネットワークカード２０ａおよび、２１ａを介して接続され、さらにインターネット４０を介してＵＰＳメーカサイト５１が接続されている。
【００１５】
ＵＰＳ２０および２１は、サーバ５〜７および８、９に電力を供給し、電源が停電となったときも少なくとも各サーバが停電処理をおなってシャットダウンするまでの間、給電を継続する。ネットワーク回線のネットワークハブ１０ａには停電中もＵＰＳ２０から給電され、これがバックアップされる。
【００１６】
２台のＵＰＳ２０と２１には、予め管理者によって優先順位が設定される。ここでは、ＵＰＳ２０を優先順位１に設定し、これをマスタＵＰＳとし、ＵＰＳ２１を優先順位２に設定しスレーブＵＰＳとしている。
【００１７】
マスタＵＰＳに設定されたＵＰＳ２０は、定期的にネットワーク回線１０を介してこれに接続されたインターネット４０上のＵＰＳ提供元のサイト５１をアクセスしそこに保存されているＵＰＳのファームウエアの版数をチェックする巡回プログラムを作動させる。また、スレーブＵＰＳ２１に対しても定期的に交信してそのファームウエアの版数チェックを行う。
【００１８】
ここで、ＵＰＳ提供元のサイトで版数の更新を検知すると、マスタＵＰＳ２０は、ファームウエア更新情報を、管理端末１へ通知し、ファームウエアの更新を行うかどうかを管理者に促す。管理端末１から更新の指令が届くと、ＵＰＳ２０は、ＵＰＳ提供元のサイト５１から更新されたＵＰＳのファームウエアを取得し、自己のファームウエアを新しい版数に更新する。そして、スレーブＵＰＳ２１へファームウエア更新情報を配信し、ＵＰＳ２１におけるファームウエアの更新を行う。
【００１９】
なお、スレーブＵＰＳ２１では、マスタＵＰＳ２０から版数チェックが一定周期以上行われないと、マスタＵＰＳに異常があったと判断し、管理者への通知のために管理端末１にこの異常を伝達するとともに、次に優先順位の高いこのスレーブＵＰＳ２１がマスタＵＰＳとなってその処理を引き継ぐ。
【００２０】
このように、この発明の方法によれば、ネットワークシステムに備えられているＵＰＳをネットワーク回線に通信可能に接続して、優先順位の高いマスタＵＰＳがネットワーク回線を経由して外部からの更新情報を取得した後、優先順位の低いスレーブＵＰＳへ配信することにより全体の情報の更新を行うので、管理者の手間が省けるとともにＵＰＳのファームウエアなどの版数が常に統一されシステム運用の信頼性を向上することができる。
【実施例２】
【００２１】
図２は、この発明の実施例２のネットワーク構成図を示す。この実施例２は、サーバ８、９とこれらのサーバに給電するＵＰＳ２２が追加され、実施例１より規模が増大されている。追加されたＵＰＳ２２も通信手段としてネットワークカード２２ａを備え、このカード２２ａを介して共通のネットワーク回線１０に接続される。そして、３台のＵＰＳ２０、２１および２２には、予め、この順序で優先順位が設定されている。
【００２２】
管理者がこのネットワークにおける各ＵＰＳに設定された、例えば、運転スケジュールの等の設定データの変更が必要になったときは、管理端末１から優先順位の最も高いマスタＵＰＳ２０だけに設定データの更新データを送り、設定の更新を指令する。
【００２３】
マスタＵＰＳ２０には、このように管理端末１から、更新指令を受け取ると、この指令に基づいて自己の設定データを更新すると共に、共通の更新データがある場合は、自己より優先順位の低いスレーブＵＰＳ２１および２２に順次更新データを送って、設定データの更新を行わせる機能がこの発明にしたがって備えられている。
【００２４】
この機能によってマスタとなったＵＰＳ２０は、管理端末１から更新データを受け取ると、他のスレーブＵＰＳに順次、共通の更新データをおくり、設定データの更新を指令する。スレーブＵＰＳとなったＵＰＳ２１、２２は、それぞれマスタＵＰＳ２０から送られた更新データを受け取り、設定データの更新を行う。
【００２５】
複数台のＵＰＳの設定データの更新を行う場合に、この発明においては、予め複数台のＵＰＳに優先順位を設定して、優先順位の最も高いＵＰＳをマスタＵＰＳにし、他のＵＰＳをスレーブＵＰＳにして、管理者が管理端末１から、マスタＵＰＳだけに設定データの更新を指令することにより、マスタＵＰＳから他のスレーブＵＰＳへ順次、更新データを送り、設定データの更新を行うようにしているので、管理者は、マスタＵＰＳ２０だけに設定更新の操作を行うことにより、ネットワーク内の複数台の全部のＵＰＳの設定データの更新を行うことができる。このため、管理者のＵＰＳの設定データ更新作業時間が短縮されると共に誤設定を低減できシステム全体の信頼性を向上できる。
【００２６】
この実施例２においては、マスタＵＰＳ２０からスレーブＵＰＳ２１、２２に更新データを順次送るようにしているが、スレーブＵＰＳ２１が、マスタＵＰＳ２０から更新データを受け取ると、このデータを自己に取り込むと共に、次の順位のスレーブＵＰＳ２１へリレー式に更新データを送るようにすることも可能である。
【図面の簡単な説明】
【００２７】
【図１】この発明の実施例１によるネットワークシステムを示す構成図である。
【図２】この発明の実施例２によるネットワークシステムを示す構成図である。
【図３】従来のネットワークシステムを示す構成図である。
【図４】他の従来のネットワークシステムを示す構成図である。
【符号の説明】
【００２８】
１：管理端末
３〜９：サーバ
１０：ネットワーク回線
１０ａ：ネットワークハブ
２０、２１、２２：無停電電源装置（ＵＰＳ）
２０ａ、２１ａ、２２ａ：ネットワークカード
【図１】
2006318394.tif 000003
【図２】
2006318394.tif 000004
【図３】
2006318394.tif 000005
【図４】
2006318394.tif 000006